(57)【要約】【課題】雨樋に入らなかった雨水又は結露水がデッキの下方に滴下しないようにしたバルコニー用排水装置を提供する。【解決手段】根太掛け４の下方に、左の妻梁２の下側から右の妻梁２の下側まで連続して上面に開口する雨樋１５を設けるとともに、デッキの根太１１の下側を前桁の下側面から前記雨樋の開口面まで下り傾斜して延びる軒天板１７を、左の妻梁の下側面から右の妻梁の下側面まで連続させて設け、前記デッキもしくは根太から垂れる雨水又は結露水、前記根太掛け、前記妻梁及び前記前桁から垂れる雨水又は結露水をすべて前記軒天板で受けて前記雨樋１５に合流させ、その雨樋に合流した雨水又は結露水を立て樋２５を介して地上に排水するようにした。【選択図】    図１
2004225457.tif 000002
【特許請求の範囲】
【請求項１】
根太掛けの下方に、左の妻梁の下側から右の妻梁の下側まで連続して上面に開口する雨樋を設けるとともに、デッキの根太の下側を前桁の下側面から前記雨樋の開口面まで下り傾斜して延びる軒天板を、左の妻梁の下側面から右の妻梁の下側面まで連続させて設け、
前記デッキもしくは根太から垂れる雨水又は結露水、前記根太掛け、前記妻梁及び前記前桁から垂れる雨水又は結露水をすべて前記軒天板で受けて前記雨樋に合流させ、
その雨樋に合流した雨水又は結露水を立て樋を介して地上に排水することを特徴とするバルコニーの排水装置。
【請求項２】
デッキ上面の間口方向端部から流出する雨水を妻梁のデッキ内側面に設けた雨樋に流入させ、デッキ上面の前桁側端部から流出する雨水を前記前桁のデッキ内側面又は前端部のデッキ材に設けた雨樋に流入させるとともに、その雨樋の長手方向端部から前記妻梁の雨樋に合流させ、根太掛けの下方に設けた雨樋と立て樋との結合部に集水マスを取付け、前記妻梁の雨樋に合流した雨水を呼び樋により前記集水マスに誘導して、前記呼び樋からの水と前記根太掛けの下方に設けた雨樋の水を集水マスにおいて合流させて前記立て樋に流下させるようにしたことを特徴とする請求項１に記載されたバルコニーの排水装置。
【請求項３】
妻梁のデッキ内側面に、妻梁と別体に成形した雨樋を、根太掛け側が高く、前桁側が低くなるように傾斜して取付け、デッキ上面の間口方向端部から流出する雨水を前記雨樋に流入させ、前記雨樋の前桁側端部付近に結合した呼び樋を介して前記雨樋に流入した雨水を集水マスに合流させるようにしたことを特徴とする請求項２に記載されたバルコニーの排水装置。
【請求項４】
妻梁のデッキ内側面に、妻梁と別体に成形した雨樋を、根太掛け側が高く、前桁側が低くなるように傾斜して取付け、デッキ上面の間口方向端部から流出する雨水を前記雨樋に流入させ、デッキ上面の前桁側端部から流出する雨水を前記前桁のデッキ内側面に設けてある雨樋又は前端部のデッキ材に形成されている雨樋に流入させ、その雨樋の長手方向端部から前記妻梁の雨樋に合流させ、その雨樋からその雨樋の前桁側端部付近に結合した呼び樋を介して集水マスに合流させるようにしたことを特徴とする請求項２に記載されたバルコニーの排水装置。
【請求項５】
上面に開口する凹部と、その凹部の底部から下方に突出して上下方向に貫通する、立て樋に結合するための結合筒部と、前記凹部の底面に前記結合筒部の孔の周辺において間隔を持って起立する、呼び樋の下部エルボに嵌合される位置決め片とを有する請求項２，３又は４に記載されたバルコニーの排水装置用集水マス。
【発明の詳細な説明】
【０００１】
【発明の属する技術分野】
本発明は、アルミニウム合金などの金属製形材を用いて作られたバルコニーの排水装置に関する。
【０００２】
【従来の技術】
金属製形材を用いて作られたバルコニーにおいては、デッキに降った雨をデッキの下方に流下させずに地上に誘導して排水するための排水装置が備えられている。
しかし、従来のバルコニーの排水装置は、デッキ上面に降った雨をデッキの周辺から根太掛けに形成した雨樋（以下、後樋という場合がある。）、妻梁に形成した雨樋（以下、側樋という場合がある。）又は前桁に形成した雨樋（以下、前樋という場合がある。）に流下させて、そのいずれかの雨樋に結合した立て樋又は呼び樋と立て樋を介して地上に排水するものであった。
【０００３】
例えば、特許文献１に記載されたものは、デッキ上面の後端部（駆体側端部）から流出する雨水を根太掛けに設けた後樋又は後端デッキ材に設けた後樋で受けた後、妻梁に設けた側樋に流下させ、デッキ上面の側端部（妻梁側端部）から流出する雨水を側樋で受け、デッキ上面の前端部（前桁側端部）から流出する雨水は前端デッキ材に設けた前樋で受けて、その前樋から側樋に合流させ、側樋に結合した立て樋又は呼び樋と立て樋あるいは導水チェーン等の雨水誘導部材を介して地上に排水するものであり、特許文献２に記載されたものは、躯体の側樋よりも一段低い位置に集合樋を設け、両側樋に集められた雨水をさらに集合樋に集めて雨水誘導部材を介して地上に排水するものであり、さらに、特許文献３に記載されたものは、デッキ側端部から側樋に流下させた雨水を全て前桁に設けた前樋に集合させ、その前樋から雨水誘導部材を介して地上に排水するようにしたものである。
【０００４】
【特許文献１】
特開昭５８−４０６１８号公報
【特許文献２】
特開平８−２０９８７０号公報
【特許文献３】
特開平１２−２７３８３号公報
【０００５】
【発明が解決しようとする課題】
以上の先行技術は、いずれもデッキの周辺から雨樋に流下する雨水に対する排水機能を有するが、雨樋に入らなかった雨水は、デッキ下面などから垂れ流しされていた。すなわち、デッキが複数のデッキ材を当接連結して構成される場合は、デッキ上面の雨水がデッキ材の間の微小隙間を下方に通過し、デッキ下面から又は根太に回り込んでデッキ下方に垂れることは避けられない。また、金属製形材を用いるバルコニーにおいては、妻梁、根太掛け又は前桁には、手摺・格子又はパネルなどのデッキよりも上方の構成部材から雨水が伝ってきたり、結露水が生じたりするが、このような雨水又は結露水は雨樋に入らない場合が多い。
従来のバルコニーでは、このようなデッキ下面からの漏水又は妻梁や前桁からの垂れ水に対する対策が施されていない。
【０００６】
特許文献４には、根太の下側に軒天板を設け、その軒天板の前端部付近に設けた水垂れ板から雨樋に流下させるようにしたバルコニーの排水装置が記載されているが、この軒天板は単にデッキの下面のみを覆うものであり、雨樋はデッキ下方に露見されるため、バルコニーの外観を損なう。また、すのこで構成されているデッキ材の隙間から流下する雨水に対する排水機能は有するが、デッキの周辺から流出する雨水及びデッキよりも上方の構成部材を伝って流下する雨水、あるいは、妻梁や前桁から滴下する結露水に対しては、排水機能を有していない。
【０００７】
【特許文献４】
特開昭５３−６３７１７号公報
【０００８】
本発明は、上記の点に鑑みてなされたものであり、その第一の課題は、妻梁等のバルコニー構成部材に設けられた雨樋に入らなかった雨水又は結露水がデッキの下方に滴下しないようにしたバルコニー用排水装置を提供することにある。
【０００９】
本発明の第二の課題は、バルコニー構成部材に設けられた雨樋に入った水と、その雨樋に入らなかった水とを、デッキの下方に滴下させることなく、最小限の排水部材及び排水経路で円滑に排水できるようにすることにある。
【００１０】
本発明の第三の課題は、第二の課題を解決するバルコニー用排水装置に用いるのに好適な集水マスを提供することにある。
【００１１】
【課題を解決するための手段】
上記第一の課題を解決するため、請求項１の発明は、根太掛けの下方に、左の妻梁の下側から右の妻梁の下側まで連続して上面に開口する雨樋を設けるとともに、デッキの根太の下側を前桁の下側面から前記雨樋の開口面まで下り傾斜して延びる軒天板を、左の妻梁の下側面から右の妻梁の下側面まで連続させて設け、前記デッキもしくは根太から垂れる雨水又は結露水、前記根太掛け、前記妻梁及び前記前桁から垂れる雨水又は結露水をすべて前記軒天板で受けて前記雨樋に合流させ、その雨樋に合流した雨水又は結露水を立て樋を介して地上に排水することを特徴としている。
上記構成により、デッキ材の間の微小間隙を通過して滴下する雨水、根太から滴下する結露水、根太掛け、妻梁又は前桁から滴下する雨水、妻梁と根太掛け又は前桁との接続部から漏出する結露水は、すべて軒天板で受けられて、根太掛けの下方に設けた雨樋に誘導され、立て樋を介して地上に排水される。
【００１２】
上記第二の課題を解決するため、請求項２の発明は、デッキ上面の間口方向端部から流出する雨水を妻梁のデッキ内側面に設けた雨樋に流入させ、デッキ上面の前桁側端部から流出する雨水を前記前桁のデッキ内側面又は前端部のデッキ材に設けた雨樋に流入させるとともに、その雨樋の長手方向端部から前記妻梁の雨樋に合流させ、根太掛けの下方に設けた雨樋と立て樋との結合部に集水マスを取付け、前記妻梁の雨樋に合流した雨水を呼び樋により前記集水マスに誘導して、前記呼び樋からの水と前記根太掛けの下方に設けた雨樋の水を集水マスにおいて合流させて前記立て樋に流下させるようにしたことを特徴としている。
この場合の側樋は、妻梁に一体に成形されたもの、妻梁と別体に成形されたもののいずれでも良い。また、その妻梁は、水平に設置される場合又は屋外側に下り傾斜して設置される場合のいずれでも良い。上記構成により、デッキ上面の側端部から流出する雨水は側樋に流入し、デッキ上面の前端部から流出する雨水は前樋に流入した後、側樋に合流し、その側樋に流入した雨水は呼び樋を介して後樋に設けられた集水マスに誘導され、軒天板の後端部から後樋に流入した雨水又は結露水と集水マスにおいて合流して、立て樋を経て地上に排水される。
【００１３】
上記第二の課題を解決するための排水装置は、妻梁のデッキ内側面に、妻梁と別体に成形した雨樋を、根太掛け側が高く、前桁側が低くなるように傾斜して取付け、デッキ上面の間口方向端部から流出する雨水を前記雨樋に流入させ、前記雨樋の前桁側端部付近に結合した呼び樋を介して前記雨樋に流入した雨水を集水マスに合流させるように構成することができる。
上記構成により、デッキ上面の間口方向端部から流出して側樋に受けられる雨水は、側樋の屋外側端部方向に円滑に流れ、呼び樋を介して後樋方向に円滑に誘導されるため、排水性に優れている。
【００１４】
上記第二の課題を解決するための排水装置は、さらに、妻梁のデッキ内側面に、妻梁と別体に成形した雨樋を、根太掛け側が高く、前桁側が低くなるように傾斜して取付け、デッキ上面の間口方向端部から流出する雨水を前記妻梁の雨樋に流入させ、デッキ上面の前桁側端部から流出する雨水を前記前桁のデッキ内側面に設けてある雨樋又は前端部のデッキ材に形成されている雨樋に流入させ、その雨樋の長手方向端部から前記妻梁の雨樋に合流させ、その雨樋からその雨樋の前桁側端部付近に結合した呼び樋を介して集水マスに合流させるように構成することもできる。
上記構成により、デッキ上面の間口方向端部から流出する雨水は側樋に受けられ、その雨水は側樋の屋外側端部方向に円滑に流れ、呼び樋を介して後樋方向に円滑に誘導され、デッキ上面の前桁側端部から流出する雨水は前樋に受けられ、その雨水は側樋に合流し、その側樋から呼び樋を介して後樋の集水マスに円滑に誘導されて合流するため、排水性に優れている。
【００１５】
第三の課題を解決するための集水マスは、上面に開口する凹部と、その凹部の底部から下方に突出して上下方向に貫通する、立て樋に結合するための結合筒部と、前記凹部の底面に前記結合筒部の孔の周辺において間隔を持って起立する、呼び樋の下部エルボに嵌合される位置決め片とを有することを特徴としている。
上記構成により、集水マスを根太掛けの下方に設けた雨樋と立て樋の結合部に取付け、妻梁の雨樋に結合された呼び樋の下部エルボを集水マスの凹部に挿入し、その下部エルボに位置決め片を嵌合して所定位置に固定でき、呼び樋を流れてくる水と根太掛けの下方に設けた雨樋に集められた水は、集水マスで合流して、立て樋に流下する。
【００１６】
【発明の実施の形態】
次に、本発明の好ましい実施の形態について、図面に基づいて説明する。
図１は、本発明に係る排水装置を備えたバルコニーの縦断面図、図２は図１のＸ−Ｘ線断面図、図３は集水マスの斜視図、図４は集水マスの平面図、図５は図４のＹ−Ｙ線に沿った断面図である。
【００１７】
躯体Ｂの外壁面の左右の所定位置に先付金具１（図２参照）がねじ止め又は溶接などにより固着され、その先付金具を中空形材で作られた妻梁２の中空部２ａに挿入し、妻梁２のデッキ中央側からねじＳ１を先付金具１にねじ込むことにより、躯体Ｂから離れる方向に延びる妻梁２が水平に取付けられている。そして、左右の先付金具１の間の複数箇所において、根太掛け固定ブラケット３（図１参照）が躯体Ｂに固定され、それらの根太掛け固定ブラケット３に根太掛け４がねじＳ２をねじ込むことにより水平に取付けられている。
【００１８】
根太掛け４は、中央部分に根太掛け固定ブラケットの正面に当ててねじＳ２を貫通される正面部４ａと、その正面部から躯体側に向けて上方に屈曲された水切部４ｂと、正面部の下端から躯体側に水平に屈曲され、根太掛け固定ブラケット３の下面を覆う下面部４ｃと、正面部の下端から屋外方向に突出され、後述される根太５を載せる根太載せ部４ｄとを一体に有している。そして、根太掛け４は、その長手方向両端部を妻梁２の躯体側端部における対向面に当接した状態で、根太掛け固定ブラケット３に固定されている。
【００１９】
妻梁２は、従来品と同様に、それらの対向面に雨樋（側樋）が一体に形成されたものでも良いが、本発明の好ましい実施の形態においては、両妻梁の対向面に、各妻梁と別体に成形された雨樋（側樋）５が、取付方法は限定されないが、例えばねじ止めにより取付けられている。
側樋５は、妻梁２のデッキ内側面に当接される外縦壁５ａと、その外縦壁の高さ方向中間部からデッキ内側方向に延びる底壁５ｂと、その底壁の外縦壁と反対側において上下方向に延びる内縦壁５ｃとを有して、これら外縦壁５ａ、底壁５ｂ及び内縦壁５ｃにより形成された溝５ｄを有し、また、外縦壁の上端部と内縦壁の上、下端部においてデッキ中央方向に水平に屈曲された突縁５ｆ，５ｇ，５ｈが形成されている。
この側樋５は、妻梁２の根太掛け側よりも前桁６側が低くなるように傾斜させた状態で、外縦壁５ａと妻梁２の内側壁２ｂとをねじ（図示せず）で締結して取付けられている。また、その側樋５の内縦壁５ｃの下端部の突縁５ｈは、根太掛けの根太載せ部４ｄに載置されて、それら突縁５ｈと根太載せ部４ｄをボルトナットＳ３により締結されている。
【００２０】
左右の妻梁２の屋外側端部の間には、前桁６が接続されている。さらに詳述すると、前桁６は中空形材で作られ、その中空部６ａに横断面Ｌ字形の前桁固定ブラケット７の一辺７ａを挿入し、前桁６の内側壁６ｂに貫通したねじＳ４を一辺７ａにねじ込むとともに、その前桁固定ブラケット７の他辺７ｂを妻梁２の屋外側端部の対向面、すなわち内縦壁２ｂに当接し、妻梁２の中空部２ａの屋外側端部からねじＳ５を内縦壁２ｂに貫通して前桁固定ブラケットの他辺７ｂにねじ込むことにより、前桁６の長手方向端面を妻梁２のデッキ内側面に密着した状態で結合されている。
【００２１】
そして、前桁６のデッキ内側面の下部には、前桁の長手方向全長に渡って根太載せ部６ｃが突設されていて、側樋５の躯体と反対側の端部における内縦壁５ｃの下端部の突縁５ｈがその根太載せ部６ｃに載置され、その突縁５ｈと根太載せ部６ｃがボルトナットＳ３により締結されている。
【００２２】
側樋５の溝５ｄは、根太掛け側の端面及び前桁側の端面が小口塞ぎ８ａ，８ｂにより密閉されている。これにより、側樋５の長手方向端部が密閉され、上方にのみ開口する側樋が構成されている。そして、その溝５ｄの前桁側端部付近において底壁５ｂに雨水落下口５ｉが形成され、その雨水落下口５ｉに上部エルボ９ａを介して呼び樋１０の上端部が結合され、呼び樋１０は根太掛け４の下方付近まで延長され、その下端部に下部エルボ９ｂが結合されている。
【００２３】
両妻梁２の間には、所要の間隔を持って根太１１が配置され、各根太の一端は根太掛け４の根太載せ部４ｄに、他端は前桁６の根太載せ部６ｃに載置され、側樋５を根太掛け４及び前桁６に締結するのと同様のボルトナットＳ３により締結されている。各根太の上面は左右の妻梁に取付けた側樋の内縦壁５ｃの上端部の突縁５ｇと共通の傾斜平面上に存在している。
【００２４】
この状態で、各根太１１及び突縁５ｇの躯体側部分の上面に最初のデッキ材１２を載せるとともに、躯体方向に突縁５ｇよりも若干上方に突出してスタータの役目を果たす小口塞ぎ８ａに突き当たって止められるまで摺動する。その後は、従来と同様に、他のデッキ材１２を順次載せて互いに密着させ、従来と同様の方法で根太に固定する。
【００２５】
図１において、１３は根太掛けの上方において躯体に固定され、屋外方向に下り傾斜する水切板であり、その前端部は後端（最も躯体側）のデッキ材１２に形成してある溝１２ａに挿入されている。従って、デッキの躯体側端部から流出する雨水は、溝１２ａを経て側樋５の溝５ｄの中に流下するようになっている。
また、図１において、１４は、前桁のデッキ内側面に固定され、前端（最も屋外側）のデッキ材１２の前端部から流出する雨水を受ける雨樋であり、その長手方向両端部の開口は側樋５の溝５ｄに臨ませてある。従って、デッキの屋外側端部から流出する雨水は、その前樋１４を経て側樋５の溝５ｄの中に流下するようになっている。
【００２６】
以上の構成により、デッキの上面に降った雨は、いずれにしても側樋５の中に集合し、上部エルボ９ａから呼び樋１０を経て下部エルボ９ｂまで誘導される。
【００２７】
根太掛け４の下方の躯体Ｂの屋外側面付近には、両側の妻梁２間の距離とほぼ等しい長さを有する後樋１５が取付けられている。後樋１５は、断面ほぼ角型Ｃ字形に形成されていて、上部の固定部１５ａを根太掛け４の下面部４ｃにねじ又はボルトナットＳ６により接続し、垂直部１５ｂを躯体の外側面に当接して取付けられ、底部１５ｃと、その先端に設けられた起立壁１５ｄと、垂直部１５ｂとにより上方及び屋外方向に開口する溝１５ｅが形成されている。その溝１５ｅの長手方向両端部は、小口塞ぎ１６により密閉されている。
【００２８】
両妻梁２の下面と前桁６の下面は共通の水平面上に存在し、また、後樋１５の起立壁１５ｄの上端部は、前記共通の水平面よりも後述される軒天板１７の厚みに等しい距離だけ低い位置に存在している。そして、図１及び図２に示すように、左の妻梁２の下面から右の妻梁２の下面までの間に、軒天板１７が連結されている。軒天板１７は、建物外壁又は軒あるいは屋内天井板などに使用されている浅い溝付きの金属製スパンドレルで構成されており、長手方向一端部を前桁６の下面にねじ止め又は軒天板の端部を被覆するカバー材１８を介してねじ止め等Ｓ７により固定し、軒天板の他端部を後樋１５の起立壁１５ｄの上端部に載せて、ねじ止め又は軒天板の端部を被覆するカバー材１９を介してねじ止め等Ｓ７により固定されている。各軒天板の間は軒天板の溝の外側において重ね合わせ、その重合部でねじＳ８で結合するなどして、軒天板の間に水密性が確保されている。
【００２９】
この場合、各軒天板１７の躯体側端部は、後樋１５の溝１５ｅの前桁側端部付近で終止されており、かつ、前桁６の下面と後樋１５の起立壁１５ｄの上端部の高さの違いにより軒天板１７は溝を上向きにして後樋方向に下り傾斜して取り付けられているため、排水性を有している。また、軒天板は、妻梁２の下面及び前桁６の下面からデッキ全体の下方を遮閉するように延在し、また、後樋１５は根太掛けの下方を遮閉している。従って、デッキ上面に降った雨水がデッキ材の間の微小間隙を通過することがあっても、あるいは、根太や妻梁や前桁や根太掛け等の金属形材から結露水が滴下することがあっても、それらの雨水又は結露水はいずれも軒天板により後樋１５の中に集められる。
【００３０】
さらに、後樋１５の溝１５ｅの底壁には、下部エルボ９ｂｃの下方において孔が形成され、その孔に集水マス２０が取付けられている。集水マス２０は、図３〜図５に示すように、中央に上方に開口する凹部２１を有し、凹部の上面の両側に取付部２２を有し、また、凹部の中央底部から下方に突出し、上下方向に貫通する結合筒部２３を有している。凹部２１の底面には、筒部２３の孔の周辺においてその孔と共通の中心を有する円弧に沿って起立する複数個の位置決め片２４が設けられている。そして、図５に示すように、下部エルボ９ｂの下端部がこの集水マスの凹部２１に挿入され、下部エルボ９ｂの下端部が位置決め片２４に凹部２１の底面との間に通水孔が形成されるように嵌合されている。また、集水マス２０の結合筒部２３の下端部に、立て樋２５の上端部が結合されている。
【００３１】
こうして、呼び樋１０を介して誘導されてくる雨水と、軒天板１７の上面を流れくる水は集水マス２０において合流し、立て樋２５を介して地上に排水されるようになっている。従って、デッキの下面は軒天板で隠蔽されて根太及び呼び樋が露見されないので、バルコニーの底面の外観が向上する。
【００３２】
上記の実施の形態においては、側樋が妻梁と別体に形成され、妻梁に対して屋外方向に下り傾斜させて取付けられているので、デッキ上面から流出する雨水の排水性が良好であるが、本発明は、側樋が妻梁に一体に形成されている従来構造のバルコニーにも適用可能である。また、軒天板の妻梁側の端部は、妻梁の下面の中途までを被覆しているが、前桁の場合と同様に、妻梁の下面全部を被覆するように配設しても良い。さらに、上記の根太掛けの躯体に対する取付構造、軒天板の形状及び妻梁と前桁に対する取付構造は単なる一例に過ぎず、他の既知の取付構造を採用しても構わない。
【００３３】
【発明の効果】
上述のように、請求項１の発明によれば、バルコニー構成部材の雨樋に入らなかった水は軒天板に受けられ、その軒天板から後樋に集められて、立て樋を介して地上に排水されるので、デッキ下面や妻梁や前桁等から水が垂れることが無くなった。
【００３４】
請求項２の発明によれば、バルコニー構成部材の雨樋に入った水は呼び樋を介して集水マスに、また、バルコニー構成部材の雨樋に入らなかった水は軒天板により後樋に集められた後、集水マスに合流されるので、最小限の排水部材と排水経路で円滑に排水される。また、上部エルボ、呼び樋及び下部エルボは軒天板により隠蔽されるので、これらによりバルコニーの外観が損なわれることもない。
【００３５】
請求項３の発明によれば、妻梁の雨樋は屋外方向に下り傾斜しているから、デッキ上面の側端部から妻梁の雨樋に流入する雨水は円滑に呼び樋に流入するので、排水性が向上する。
【００３６】
請求項４の発明によれば、デッキ上面の側端部から流出する雨水及びデッキ上面の前桁側端部から流出する雨水は屋外方向に傾斜している前樋に受けられ、その雨水は側樋から呼び樋を介して後樋の集水マスに円滑に誘導されて合流するため、バルコニーに降った雨及びバルコニーに生じた結露水は最小限の共通の排水経路を経て排水することができる。
【００３７】
請求項５の発明によれば、集水マスの根太掛けの下方に設けた雨樋に対する取付け、呼び樋の下部エルボ及び立て樋との結合が容易にできる。
【図面の簡単な説明】
【図１】本発明による排水装置を備えたバルコニーの縦断面図。
【図２】図１のＸ−Ｘ線断面図。
【図３】集水マスの斜視図。
【図４】集水マスの平面図。
【図５】図４のＹ−Ｙ線に沿った断面図。
【符号の説明】
Ｂ      躯体
４      根太掛け
５      側樋
６      妻梁
９ａ    上部エルボ
９ｂ    下部エルボ
１０    呼び樋
１１    根太
１２    デッキ材
１４    前樋
１５    後樋
１７    軒天板
２０    集水マス
２１    凹部
２２    取付け部
２３    結合筒部
２４    位置決め片
２５    立て樋
【図１】
2004225457.tif 000003
【図２】
2004225457.tif 000004
【図３】
2004225457.tif 000005
【図４】
2004225457.tif 000006
【図５】
2004225457.tif 000007